(57)【要約】【課題】ワイヤハーネスの径に応じてグロメットを切除して使用する際に、切除する位置を誤ることがなく、仮に誤って装着した場合には容易に検知することのできるグロメットおよびグロメットの誤装着検知方法を提供する。【解決手段】各ガイド部１５間のカットラインＣＬから先を切除することによりワイヤハーネス４０の径に対応したグロメット１０を形成し、このグロメット１０の係合部１２を隔壁３１に設けた貫通孔３２に係合させ、ワイヤハーネス４０をグロメット１０に挿通させる。このとき、最も先端のガイド部１５ｂに設けられている目印１６により、どのような径のワイヤハーネス４０に対応させているグロメット１０かを認識できる。また、グロメット１０を異なる径のワイヤハーネス４０を挿通させる場所に装着した場合には、目印１６が異なるので、容易に誤装着であることを検知できる。【選択図】        図１
2004254404.tif 000002
【特許請求の範囲】
【請求項１】
ワイヤハーネスを貫通させる隔壁に設けた貫通孔に係合されるとともに当該ワイヤハーネスが挿通される挿通孔を有する係合部と、前記係合部に連続して先端側に複数個設けられ前記ワイヤハーネスが挿通されるガイド部とを有し、段階的に先端側のガイド部が小径であるグロメットであって、
先端側に各ガイド部のうちの小径側であることを示す目印を設けたことを特徴とするグロメット。
【請求項２】
前記各ガイド部間に先端側を切り離すカットラインを設けるとともに、前記カットラインよりも先端側に前記目印を設けたことを特徴とする請求項１に記載したグロメット。
【請求項３】
前記目印が、大径のつばであることを特徴とする請求項１または請求項２に記載したグロメット。
【請求項４】
前記目印が、前記各ガイド部の先端以外の部分に設けられていることを特徴とする請求項１ないし請求項３のうちのいずれかに記載したグロメット。
【請求項５】
ワイヤハーネスを貫通させる隔壁に設けた貫通孔に係合されるとともに当該ワイヤハーネスが挿通される挿通孔を有する係合部と、前記係合部に連続して先端側に複数個設けられ前記ワイヤハーネスが挿通されるガイド部とを有し、段階的に先端側のガイド部が小径であるグロメットをカットして使用する際のグロメットの誤装着検知方法であって、
前記各ガイド部に設けられている目印により使用されているグロメットを認識して誤装着を検知することを特徴とするグロメットの誤装着検知方法。
【発明の詳細な説明】
【０００１】
【発明の属する技術分野】
この発明は、グロメットおよびグロメットの誤装着検知方法に関するものである。
【０００２】
【従来の技術】
従来のグロメットとして、図５および図６に示すようなものが開示されている（例えば、特許文献１および特許文献２参照。）。
このようなグロメット１００では、ワイヤハーネス１０１を貫通させる隔壁に設けた貫通孔に係合されるとともにワイヤハーネス１０１が挿通される挿通孔１０２を有する係合部１０３と、この係合部１０３に連続して先端側に複数個（ここでは、例えば３個）設けられワイヤハーネス１０１が挿通されるガイド部１０４ａ、１０４ｂ、１０４ｃとを有している。ガイド部１０４ａ、１０４ｂ、１０４ｃの径は段階的に先端側のガイド部１０４ａ、１０４ｂ、１０４ｃが小径に形成されている。
従って、グロメット１００を使用する際には、挿通させるワイヤハーネス１０１の径に応じて先端側のガイド部１０４ａ、１０４ｂ、１０４ｃを切除し、係合部１０３を隔壁の貫通孔に係合して使用する。
【０００３】
【特許文献１】
特開平８−１２９９１８号公報（第３、４頁、第１図）
【特許文献２】
特開平８−１５３４３１号公報（第２頁、第１図）
【０００４】
【発明が解決しようとする課題】
ところで、前述したようなグロメット１００においては、挿通させるワイヤハーネス１０１の径に応じて径の異なるガイド部１０４ａ、１０４ｂ、１０４ｃの先端側を切除して使用するため、切除する位置を間違えて基端側で切除すると挿通孔が挿通させるワイヤハーネス１０１の径よりも大きくなってシールできなくなる。
一方、切除位置を先端側に誤ると、挿通孔が小さくなるのでワイヤハーネス１０１を挿通させることができなくなるという問題がある。
【０００５】
また、前述したグロメット１００においては、ワイヤハーネス１０１とガイド部１０４ａ、１０４ｂ、１０４ｃとが粘着テープを巻き付けることにより相互固定されるため、換言すればガイド部１０４ａ、１０４ｂ、１０４ｃが粘着テープに覆われることになる。
従って、前述したグロメット１００においては、ガイド部１０４ａ、１０４ｂ、１０４ｃの切除位置の誤りが粘着テープに覆われて視認できないという問題もある。
【０００６】
本発明は、前述した問題点に鑑みてなされたものであり、その目的は、ワイヤハーネスの径に応じてグロメットを切除して使用する際に、切除する位置を誤ることがなく、仮に誤って装着した場合には容易に検知することのできるグロメットおよびグロメットの誤装着検知方法を提供することにある。
【０００７】
【課題を解決するための手段】
前述した目的を達成するために、本発明にかかるグロメットは、請求項１に記載したように、ワイヤハーネスを貫通させる隔壁に設けた貫通孔に係合されるとともに当該ワイヤハーネスが挿通される挿通孔を有する係合部と、前記係合部に連続して先端側に複数個設けられ前記ワイヤハーネスが挿通されるガイド部とを有し、段階的に先端側のガイド部が小径であるグロメットであって、先端側に各ガイド部のうちの小径側であることを示す目印を設けたことを特徴としている。
【０００８】
このように構成されたグロメットにおいては、先端側に各ガイド部のうちの小径側であることを示す目印が設けられているため、各ガイド部の境界に沿って切断すれば、すなわちガイド部の基端側で切断すれば自動的に目印が失われることになる。
従って、このグロメットにおいては、ガイド部における適切な位置で切断したか否かの判断が、目印の有無として視認できることになり、どのような径のワイヤハーネスに対応させているグロメットかを認識できる。
また、グロメットを異なる径のワイヤハーネスを挿通させる場所に装着した場合には、目印が異なるので、容易に誤装着であることを検知できる。
【０００９】
さらに、本発明にかかるグロメットは、請求項２に記載したように、請求項１に記載したグロメットにおいて、前記各ガイド部間に先端側を切り離すカットラインを設けるとともに、前記カットラインよりも先端側に前記目印を設けたことを特徴としている。
このグロメットにおいては、カットラインよりも先端側に目印が設けられているため、目印が切除されるように目印に沿って先端側のガイド部を切除すれば、確実に小径側のガイド部を切除できることになる。
【００１０】
また、本発明にかかるグロメットは、請求項３に記載したように、請求項１または２に記載したグロメットにおいて、前記目印が、大径のつばであることを特徴としている。
【００１１】
このように構成されたグロメットにおいては、各ガイド部に設ける目印を、ガイド部よりも大径なつば状とするので、容易に目印を認識できる。
【００１２】
また、本発明にかかるグロメットは、請求項４に記載したように、請求項１ないし請求項３のうちのいずれかに記載したグロメットにおいて、前記目印が、前記各ガイド部の先端以外の部分に設けられていることを特徴としている。
【００１３】
このように構成されたグロメットにおいては、目印がガイド部の先端部でない場所に設けられているので、グロメットの先端をワイヤハーネスに締結や防水処理する場合に目印が邪魔にならない。
【００１４】
また、本発明にかかるグロメットの誤装着検知方法は、請求項５に記載したように、ワイヤハーネスを貫通させる隔壁に設けた貫通孔に係合されるとともに当該ワイヤハーネスが挿通される挿通孔を有する係合部と、前記係合部に連続して先端側に複数個設けられ前記ワイヤハーネスが挿通されるガイド部とを有し、段階的に先端側のガイド部が小径であるグロメットをカットして使用する際のグロメットの誤装着検知方法であって、前記各ガイド部に設けられている目印により使用されているグロメットを認識して誤装着を検知することを特徴としている。
【００１５】
このように構成されたグロメットの誤装着検知方法においては、各ガイド部間のカットラインから先を切除することにより所望のワイヤハーネスの径に対応して形成されたグロメットであるか否かを、先端のガイド部に設けられている目印により判断できるので、隔壁に設けた所望の貫通孔に係合されたグロメットが適正でない誤装着を容易に検知できる。
【００１６】
【発明の実施の形態】
以下、本発明に係るグロメットおよびグロメットの誤装着検知方法の実施の形態を図面に基づいて詳細に説明する。図１は本発明に係るグロメットの斜視図、図２はグロメットの側面図、図３は電気接続箱にグロメットを装着した状態を示す斜視図、図４（Ａ）は電気接続箱の斜視図、図４（Ｂ）はグロメットを適性に装着した状態を示す説明図、図４（Ｃ）はグロメットを誤った位置に装着した誤装着を示す説明図である。
【００１７】
図１〜図３に示すように、本発明に係るグロメット１０は、ワイヤハーネス４０を貫通させる電気接続箱３０の隔壁３１に設けた貫通孔３２に係合されるとともにワイヤハーネス４０が挿通される挿通孔１１を有する係合部１２を基端側に備えている。
この係合部１２は、下部１２Ｌが半円形で上部１２Ｕが矩形の平板から形成され、左右の両端面１３Ｌ、１３Ｒには隔壁３１に係合するための係合溝１４が連続して設けられている。
【００１８】
係合部１２に連続して先端側（図１において右上方向）には、ワイヤハーネス４０が挿通されるガイド部１５ａ、１５ｂが複数個（ここでは例えば２個）設けられている。各ガイド部１５ａ、１５ｂの径は、先端側のガイド部１５ｂほど小さいものとなっている。
すなわち、ガイド部１５ａは大径であり、ガイド部１５ｂは小径である。ガイド部１５ａとガイド部１５ｂとの境界にはカットラインＣＬ（図２参照）が設けられており、小径のワイヤハーネス４０を挿通する場合には図１等に示した状態でグロメット１０を使用する。
一方、大径のワイヤハーネス４０を挿通する場合には、カットラインＣＬでカットして先端側すなわち小径のガイド部１５ｂを切除してグロメット１０を使用する。
【００１９】
各ガイド部１５のカットラインＣＬよりも先端側であってそのガイド部１５ｂの先端ではない部分、すなわちガイド部１５ｂの基端部または途中部には、そのガイド部１５ｂが先端側、すなわち、小径であることを示す目印としての円盤状のつば１６が設けられている。
つば１６としては、例えばガイド部１５ｂの外径よりも大きい円形のつばを例示できる。従って、カットしない状態で使用する場合には、ガイド部１５ｂにつば１６が付いているのでカットしない小径用のグロメット１０として使用していることがわかる。
一方、カットラインＣＬでカットしてガイド部１５ｂを切除すると、つば１６も一緒に切除されることになり、つば１６がなくなるため大径用のグロメット１０として使用されていることがわかる。
【００２０】
図４（Ｂ）および（Ｃ）には、図４（Ａ）に示した電気接続箱３０に複数個（ここでは３個）のグロメット１０を装着した状態の略図が示されている。
電気接続箱３０に装着されるグロメット１０は、径が小さなワイヤハーネス４０に対してはカットしていないグロメット１０ａを用い、径が大きなワイヤハーネス４０に対しては先端のガイド部１５ｂをカットしたグロメット１０ｂを使用するようになっている。
【００２１】
今、例えば径が大きなワイヤハーネス４０を電気接続箱３０の中央から配策し、その両隣から径の小さなワイヤハーネス４０を配策する場合を考えると、図４（Ｂ）に示すようになる。
すなわち、先端のガイド部１５ｂ（小径部）を切除したグロメット１０ｂを中央に配置し、その両側にカットしていないグロメット１０ａを配置するのが正しい配置である。そして、図４（Ｃ）に示しているのは、グロメット１０ａ、１０ｂの配置を間違えて誤装着した場合の例である。
【００２２】
従って、例えば図４（Ｃ）に示した場合のようなグロメット１０の誤装着を検出する場合には、前方からグロメット１０ａのつば１６を確認する。
すなわち、グロメット１０の先端のガイド部１５ｂにつば１６が付いていればカットされていない小径用のグロメット１０ａであり、つば１６が付いていないとカットされた大径用のグロメット１０ｂであることがわかる。
従って、つば１６の配置から、グロメット１０の誤装着を検出できる。
【００２３】
以上、前述したグロメット１０によれば、先端部をカットしてワイヤハーネス４０を挿通する際に、グロメット１０に残っているつば１６あるいはつば１６がないことにより、グロメット１０に挿通できるワイヤハーネス４０の径を判断できる。
このとき、つば１６がグロメット１０の径よりも大径のつば１６であるので、その有無を容易に検知できる。また、つば１６が設けられているのがグロメット１０の先端ではないので、グロメット１０の先端をワイヤハーネス４０に締結するためにテープや糸等を巻き付ける際に邪魔にならない。
また、複数個のグロメット１０を電気接続箱３０の決められた位置に装着する際に、検知器によってつば１６の有無を検知することにより、グロメット１０の誤装着を容易に検知できる。
【００２４】
なお、本発明のグロメットおよびグロメットの誤装着検知方法は、前述した実施形態に限定されるものでなく、適宜な変形、改良等が可能である。
例えば、前述した各実施形態では、ガイド部１５が大径用と小径用の２つから構成されている場合について説明したが、２個以上であってもよい。この場合には、各ガイド部１５に対応して設けられるつば１６の大きさや形状を変化させることにより、つば１６からグロメット１０の適否を検知できる。
また、前述した実施形態では、目印として円形のつば１６を設けたが、形状や大きさは問わない。検知器によって前方から容易に検知できるように、例えば挿通可能なワイヤハーネス４０の径に応じてつば１６の大きさや形状を決定できる。
【００２５】
【発明の効果】
以上、説明したように、本発明にかかるグロメットによれば、請求項１に記載したように、各ガイド部のうちの小径側であること示す目印が設けられているため、どのような径のワイヤハーネスに対応させているグロメットかを認識できる。従って、グロメットにおける誤ったカットラインから切除したことを容易に検知できる。
また、グロメットを異なる径のワイヤハーネスを挿通させる場所に装着した場合には、目印が異なるので、容易に誤装着であることを検知できる。
また、本発明にかかるグロメットの誤装着検知方法よれば、請求項５に記載したように、各ガイド部間のカットラインから先を切除することにより所望のワイヤハーネスの径に対応して形成されたグロメットであるか否かを先端のガイド部に設けられている目印により判断できるので、隔壁に設けた所望の貫通孔に係合されたグロメットが適正でない誤装着を容易に検知できる。
【図面の簡単な説明】
【図１】本発明に係るグロメットの一実施形態を示す斜視図である。
【図２】グロメットの側面図である。
【図３】電気接続箱にグロメットを装着した状態を示す斜視である。
【図４】（Ａ）は電気接続箱の斜視図、（Ｂ）はグロメットを適性に装着した状態を示す説明図、（Ｃ）はグロメットを誤った位置に装着した誤装着を示す説明図である。
【図５】従来のグロメットを示す斜視図である。
【図６】従来のグロメットを示す側面図である。
【符号の説明】
１０  グロメット
１１  挿通孔
１２  係合部
１５  ガイド部
１６  つば（目印）
３１  隔壁
３２  貫通孔
４０  ワイヤハーネス
ＣＬ  カットライン
【図１】
2004254404.tif 000003
【図２】
2004254404.tif 000004
【図３】
2004254404.tif 000005
【図４】
2004254404.tif 000006
【図５】
2004254404.tif 000007
【図６】
2004254404.tif 000008